【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
複数のキーによって文字列を入力する入力手段と、
前記入力手段によって入力された文字列に含まれる文字以外の文字を含む他の文字を決定する決定手段と、
前記決定手段によって決定された他の文字を、前記複数のキーによって入力するよう要求する要求手段とを備えることを特徴とする情報処理装置。
【請求項２】
前記入力手段によって入力された文字列に重複した文字が含まれるか判定する判定手段をさらに備え、
前記決定手段は、前記判定手段によって重複した文字があると判定した場合に、決定する前記他の文字の数を増加することを特徴とする請求項１に記載の情報処理装置。
【請求項３】
前記入力手段によって入力された文字列に従って認証を行う認証手段をさらに備えることを特徴とする請求項１または２に記載の情報処理装置。
【請求項４】
前記要求手段は、前記入力手段による文字列の入力が終了したあとに、前記他の文字を入力するよう要求することを特徴とする請求項１から請求項３のいずれかに記載の情報処理装置。
【請求項５】
前記要求手段によって要求した前記他の文字が入力されたか判断する判断手段と、
前記判断手段により前記他の文字が入力されたと判断した場合に前記文字列を、認証を行う外部の情報機器に送信する送信手段とをさらに備えることを特徴とする請求項１から請求項４のいずれかに記載の情報処理装置。
【請求項６】
複数のキーによって文字列を入力する入力手段と、
前記入力手段によって入力された文字列と、予め登録された認証情報とを比較することによって認証を行う認証手段と、
前記予め登録された認証情報に含まれる文字以外の文字を含む他の文字を決定する決定手段と、
前記複数のキーによって前記決定手段によって決定された他の文字を入力するよう要求する要求手段とを備えることを特徴とする情報処理装置。
【請求項７】
前記認証情報に重複した文字が含まれるか判定する判定手段をさらに備え、
前記決定手段は、前記判定手段によって重複した文字が含まれると判定した場合に、決定する前記他の文字の数を増加することを特徴とする請求項６に記載の情報処理装置。
【請求項８】
複数のキーによって文字列を入力する入力工程と、
前記入力工程で入力された文字列に含まれる文字以外の文字を含む他の文字を決定する決定工程と、
前記決定工程で決定された他の文字を、前記複数のキーによって入力するように要求する要求工程とを備えることを特徴とする情報処理方法。
【請求項９】
複数のキーによって文字列の入力を受け付ける入力工程と、
前記入力工程で入力された文字列と、予め登録された認証情報とを比較する比較工程と、
当該認証情報に含まれる文字以外の文字を含む他の文字を決定する決定工程と、
前記複数のキーによって前記決定工程で決定された他の文字を入力するよう要求する要求工程とを備えることを特徴とする情報処理方法。
【請求項１０】
情報処理装置と当該情報処理装置と通信可能な情報機器とからなる情報処理システムにおいて、
前記情報処理装置は、
複数のキーによって文字列を入力する入力手段と、
前記入力手段によって入力された文字列に含まれる文字以外の文字を含む他の文字を決定する決定手段と、
前記決定手段によって決定された他の文字を、前記複数のキーによって入力するように要求する要求手段と、
前記要求手段によって要求した入力があった場合に前記文字列を前記情報機器に送信する送信手段とを備え、
前記情報機器は、
予め登録された認証情報を記憶する記憶手段と、
前記情報処理装置から前記文字列を受信する受信手段と、
前記受信手段によって受信した文字列と前記認証情報とによって認証をおこなう認証手段とを備えることを特徴とする情報処理システム。
【請求項１１】
情報処理装置と当該情報処理装置と通信可能な情報機器とからなる情報処理システムにおいて、
前記情報機器は、
予め登録された認証情報を記憶する記憶手段と、
前記認証情報を識別し、当該認証情報に含まれる文字以外の文字を含む他の文字を決定する決定手段と、
前記決定手段によって決定した他の文字を前記情報処理装置に送信する送信手段とを備え、
前記情報処理装置は、
前記送信手段によって送信された前記他の文字を受信する受信手段と、
複数のキーによって文字列を入力する入力手段と、
前記入力手段によって入力された文字列を格納する格納手段と、
前記受信手段によって受信した他の文字を前記複数のキーによって入力するように要求する要求手段と、
前記格納手段によって格納された文字列を、前記要求手段によって要求した他の文字が入力された場合に前記情報機器に送信する送信手段とを備え、
前記情報機器は、前記情報処理装置から送信された文字列と、前記記憶手段に記憶された前記認証情報とによって認証をおこなうことを特徴とする情報処理システム。
【請求項１２】
複数のキーによって文字列を入力する入力手段と、
前記入力手段によって入力された文字列とは別に、他の文字を決定する決定手段と、
前記決定手段によって決定された他の文字を、前記複数のキーによって入力するよう要求する要求手段とを備えることを特徴とする情報処理装置。
【手続補正２】
【補正対象書類名】明細書
【補正対象項目名】０００７
【補正方法】変更
【補正の内容】
【０００７】
そこで本発明では、ユーザが複数のキーによって入力する文字列によって、入力を要求する他の文字を決定する。そして、ユーザが入力する文字列に加えて、その、他の文字を入力させることによって、文字列を入力した痕跡を第三者が読み取って、ユーザの入力した文字列を類推することを困難にすることを目的とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
上記課題を解決するために、本発明は、複数のキーによって文字列を入力する入力手段と、前記入力手段によって入力された文字列に含まれる文字以外の文字を含む他の文字を決定する決定手段と、前記決定手段によって決定された他の文字を、前記複数のキーによって入力するよう要求する要求手段とを備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、ユーザが複数のキーによって入力する文字列によって、入力を要求する他の文字を決定する。ユーザが入力する文字列に加えて、他の文字を入力させることによって、文字列を入力した痕跡を第三者が読み取って、ユーザの入力した文字列を類推することを困難にすることができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】